(57)【要約】【課題】手袋内部のずれを軽減しつつ、装着感を高める。【解決手段】スポーツ用手袋１００は、手の甲側を覆う手甲部１と、手の掌側を覆う手掌部２を備える。手甲部１及び手掌部２は、それぞれ伸縮性のトリコット生地１０で構成され、手甲部１及び手掌部２の内面側は、トリコット生地１０の表面を第一樹脂１１で被覆する。これにより、伸縮性のトリコットを用いつつ、手袋の内面を第一樹脂１１で被覆することで、手袋装着者の指が滑らないようにできる。【選択図】図１
2019183340.tif 000002
【特許請求の範囲】
【請求項１】
手の甲側を覆う手甲部と、
手の掌側を覆う手掌部とを備えるスポーツ用手袋であって、
前記手甲部及び手掌部は、それぞれ伸縮性のトリコット生地で構成され、
前記手甲部及び手掌部の内面側は、前記トリコット生地の表面を第一樹脂で被覆してなるスポーツ用手袋。
【請求項２】
請求項１に記載のスポーツ用手袋であって、
前記手甲部の外面側は、第二樹脂製の第一パターンを少なくとも部分的に施し、
前記手掌部の外面側は、前記第一パターンと異なる第二樹脂製の第二パターンを少なくとも部分的に施してなるスポーツ用手袋。
【請求項３】
請求項２に記載のスポーツ用手袋であって、
前記手甲部の外面側は、前記第一パターンを部分的に設け、
前記手掌部の外面側は、前記第二パターンを全面に設けてなるスポーツ用手袋。
【請求項４】
請求項２又は３に記載のスポーツ用手袋であって、
前記第二樹脂が、シリコーン樹脂であるスポーツ用手袋。
【請求項５】
請求項１〜４のいずれか一項に記載のスポーツ用手袋であって、
前記第一樹脂が、ポリウレタン樹脂、又はシリコーン樹脂のいずれかを含むスポーツ用手袋。
【請求項６】
請求項１〜５のいずれか一項に記載のスポーツ用手袋であって、
前記第一樹脂が、防滑糸を前記トリコット生地の表面に編み込んで形成されてなるスポーツ用手袋。
【請求項７】
請求項６に記載のスポーツ用手袋であって、
前記第一樹脂が、前記防滑糸の編み込まれた層の表面に、さらにシリコーン樹脂を被膜してなるスポーツ用手袋。
【請求項８】
手の甲側を覆う手甲部と、
手の掌側を覆う手掌部とを備えるスポーツ用手袋であって、
前記手甲部及び手掌部は、それぞれ伸縮性のトリコット生地で構成され、
前記手甲部及び手掌部の内面側は、前記トリコット生地に、防滑糸が編み込まれ、かつシリコーン樹脂を被膜して形成されてなるスポーツ用手袋。
【請求項９】
請求項６〜８のいずれか一項に記載のスポーツ用手袋であって、
前記防滑糸が、ポリウレタン製であるスポーツ用手袋。
【請求項１０】
スポーツ用衣類であって、
伸縮性のトリコット生地で構成され、
前記スポーツ用衣類の内面側は、前記トリコット生地の表面を第一樹脂で被覆してなるスポーツ用衣類。
【請求項１１】
請求項１０に記載のスポーツ用衣類であって、
ウエア、スパッツ、パンツ、アームカバー又はレッグカバーを含むサポーターのいずれかであるスポーツ用衣類。
【発明の詳細な説明】
【技術分野】
【０００１】
本発明は、スポーツ用手袋及びスポーツ用衣類に関する。
【背景技術】
【０００２】
従来、様々な用途でスポーツ用手袋が使用され、各用途に適したスポーツ用手袋が知られている（例えば特許文献１〜３）。
【０００３】
一般にスポーツ用手袋は、使用時にスポーツ用手袋の内部でずれが生じると、使用者が指を思ったような位置や姿勢とし難くなり、使い難い。一方で、スポーツ用手袋を手に圧着させると、このようなずれは低減されるものの、常時手が押圧される状態となって装着感が悪くなる。このように、スポーツ用手袋内部でのずれの防止と装着感は相反するため、使いやすくかつ装着感もよいスポーツ用手袋が求められていた。
【先行技術文献】
【特許文献】
【０００４】
【特許文献１】登実３００７９６０号公報
【特許文献２】特開２００２−０６５９２８号公報
【特許文献３】特開２０１３−１３５７７１号公報
【発明の概要】
【発明が解決しようとする課題】
【０００５】
本発明は、このような背景に鑑みてなされたものであり、その目的の一は、手袋内部のずれを軽減しつつ、装着感を高めたスポーツ用手袋及びスポーツ用衣類を提供することにある。
【課題を解決するための手段及び発明の効果】
【０００６】
本発明の第１の側面に係るスポーツ用手袋によれば、手の甲側を覆う手甲部と、手の掌側を覆う手掌部とを備えるスポーツ用手袋であって、前記手甲部及び手掌部は、それぞれ伸縮性のトリコット生地で構成され、前記手甲部及び手掌部の内面側は、前記トリコット生地の表面を第一樹脂で被覆することができる。上記構成により、伸縮性のトリコットを用いつつ、手袋の内面を第一樹脂で被覆することで、手袋装着者の指が滑らないようにできる。
【０００７】
また、本発明の第２の側面に係るスポーツ用手袋によれば、上記構成に加えて、前記手甲部の外面側は、第二樹脂製の第一パターンを少なくとも部分的に施し、前記手掌部の外面側は、前記第一パターンと異なる第二樹脂製の第二パターンを少なくとも部分的に施すことができる。上記構成により、手袋の表面側にそれぞれ異なる樹脂製のパターンを設けたことで、着圧感の強弱を付けて装着感を高めることができる。
【０００８】
さらに、本発明の第３の側面に係るスポーツ用手袋によれば、上記何れかの構成に加えて、前記手甲部の外面側は、前記第一パターンを部分的に設け、前記手掌部の外面側は、前記第二パターンを全面に設けることができる。上記構成により、手掌部には全面に第二パターンを設けて滑り止め効果を高めつつ、手甲部側は部分的に第一パターンを形成することで意匠性を高めることができる。
【０００９】
さらにまた、本発明の第４の側面に係るスポーツ用手袋によれば、上記何れかの構成に加えて、前記第二樹脂をシリコーン樹脂とすることができる。
【００１０】
さらにまた、本発明の第５の側面に係るスポーツ用手袋によれば、上記何れかの構成に加えて、前記第一樹脂をポリウレタン樹脂、又はシリコーン樹脂のいずれかを含むことができる。
【００１１】
さらにまた、本発明の第６の側面に係るスポーツ用手袋によれば、上記何れかの構成に加えて、前記第一樹脂を、防滑糸を前記トリコット生地の表面に編み込んで形成することができる。
【００１２】
さらにまた、本発明の第７の側面に係るスポーツ用手袋によれば、上記何れかの構成に加えて、前記第一樹脂を、前記防滑糸の編み込まれた層の表面に、さらにシリコーン樹脂を被膜して構成することができる。
【００１３】
さらにまた、本発明の第８の側面に係るスポーツ用手袋によれば、手の甲側を覆う手甲部と、手の掌側を覆う手掌部とを備えるスポーツ用手袋であって、前記手甲部及び手掌部は、それぞれ伸縮性のトリコット生地で構成され、前記手甲部及び手掌部の内面側を、前記トリコット生地に、防滑糸が編み込まれ、かつシリコーン樹脂を被膜して形成することができる。
【００１４】
さらにまた、本発明の第９の側面に係るスポーツ用手袋によれば、上記何れかの構成に加えて、前記防滑糸を、ポリウレタン製とできる。
【００１５】
さらにまた、本発明の第１０の側面に係るスポーツ用衣類によれば、伸縮性のトリコット生地で構成され、前記スポーツ用衣類の内面側は、前記トリコット生地の表面を第一樹脂で被覆することができる。上記構成により、伸縮性のトリコットを用いつつ、手袋の内面を第一樹脂で被覆することで、衣類の着用者の肌が滑らないようにできる。
【００１６】
さらにまた、本発明の第１１の側面に係るスポーツ用衣類によれば、上記に加えて、ウエア、スパッツ、パンツ、アームカバー又はレッグカバーを含むサポーターのいずれかとすることができる。
【図面の簡単な説明】
【００１７】
【図１】本発明の実施形態１に係るスポーツ用手袋を手甲側から見た平面図である。
【図２】図１のスポーツ用手袋を背面側から見た裏面図である。
【図３】トリコット生地を示す断面図である。
【図４】図４Ａはウェア、図４Ｂはスパッツ、図４Ｃはパンツ、図４Ｄはアームカバー、図４Ｅはレッグカバーを示す模式図である。
【発明を実施するための形態】
【００１８】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
［実施形態１］
【００１９】
本発明の実施形態１に係るスポーツ用手袋１００を手甲側から見た平面図を図１に、その背面側、すなわち手掌側から見た裏面図を図２に、それぞれ示す。これらの図に示すスポーツ用手袋１００は、手の甲側を覆う手甲部１と、手掌側を覆う手掌部２と、ベルト部３とを備える。
【００２０】
手甲部１及び手掌部２は、それぞれトリコット生地１０で構成される。トリコット生地１０はニット素材であり、伸縮性に優れる。トリコット生地１０で構成されたスポーツ用手袋１００は、指を圧迫しない。またトリコット生地１０としたことで、スポーツ用手袋１００の通気性が高められ、快適に利用できる。
【００２１】
一方でトリコット生地は、表面が滑り易く、このままでは手袋の内面側で手や指の表面と滑り易くなって装着感が悪くなる。そこで、図３の断面図に示すようにトリコット生地１０の表面に第一樹脂１１を被覆している。第一樹脂１１は滑り止め効果のある防滑性樹脂が用いられる。これによって摩擦係数を増し、手袋装着者の指や掌が滑らないようにして、フィット感を増して快適な使用感が得られる。特に第一樹脂１１に弾力性のある樹脂を選択することで、トリコット生地１０の伸縮性が阻害されず、その伸縮性がダイレクトに手に伝わる結果、手袋装着者の着圧感が高められる。
【００２２】
このような第一樹脂１１としては、ポリウレタン樹脂、シリコーン樹脂等が好適に利用できる。また第一樹脂１１はトリコット生地１０の表面にコーティングする他、第一樹脂をトリコット生地の下部に防滑糸を用いて編み込んで形成することもできる。防滑糸には、ポリエステル樹脂製の糸等が好適に利用できる。
【００２３】
さらに、防滑糸の編み込まれた層の表面に、さらに別の樹脂層を追加して第一樹脂１１を構成してもよい。ここで追加される別の追加樹脂層は、シリコーン樹脂等が好適に利用できる。これによって、防滑効果をさらに高めることができる。また、防滑糸を編み込んだ防滑トリコットの層の厚さの調整を、追加樹脂層で行うこともできる。追加樹脂層は、シリコーンプリント等で形成することができる。また防滑糸は、ポリウレタン製等とできる。
【００２４】
第一樹脂１１の膜厚は、トリコット生地１０の膜厚に対して３〜５％の厚さとする。第一樹脂１１の膜厚は、好ましくは１μｍ〜２μｍとする。このような厚みとすることで、トリコット生地１０の伸縮性や通気性が確保されて、装着感に優れたスポーツ用手袋１００を実現できる。
【００２５】
一方、手甲部１の外面側は、図１に示すように第二樹脂１２製の第一パターン１３を少なくとも部分的に施している。また手掌部２の外面側は、図２に示すように第二樹脂１２製の第二パターン１４を少なくとも部分的に施している。第一パターン１３と第二パターン１４は、その形状を異ならせている。このように手袋の表面側にそれぞれ樹脂製のパターンを設けたことで、着圧感の強弱を付けて装着感を高めることができる。図１及び図２の例では、第一パターン１３は手甲部１の外面側に部分的に形成しており、第二パターン１４は手掌部２の外面側の全面に設けている。このようにすることで、手掌部２には全面に第二パターン１４を設けて、物を把持したり触れる際などの滑り止め効果を高めることができる。その一方で手甲部１側は、部分的に第一パターン１３を形成することで意匠性を高めることができる。好ましくは、図１に示すように各指の中心に沿って第一パターン１３を延長することで、指の上面を押圧するような感覚を装着者に与えてフィット感の向上に資することができる。
【００２６】
このような第二樹脂１２としては、シリコーン樹脂やゴム製、あるいはポリウレタン樹脂等が好適に利用できる。特に第一パターン１３と第二パターン１４を同じ樹脂製として、製造工程を簡素化できコスト削減に寄与しうる。さらに第二樹脂１２を第一樹脂１１と同じとすることで、一層のコスト削減や管理に有利となる。これらの第二樹脂１２のパターンは、第一樹脂１１とは別に設けられる。好ましくは樹脂プリントによって所望の位置に所望のパターンで第二樹脂１２を形成できる。特にシリコーンプリントやラバープリント等の樹脂プリントは、利用しやすく安価で効果も高い。
［実施形態２］
【００２７】
以上は第一樹脂１１で被覆したトリコット生地１０をスポーツ用手袋１００に適用する例を説明したが、本発明はこれに限らず、他のスポーツ用衣料に適用することもできる。例えばスポーツ用衣類として、ウエア、スパッツ、パンツ、サポーター等が挙げられる。サポーターは、アームカバーやレッグカバーが挙げられる。これらの例を図４Ａ〜図４Ｅに示す。この図において、図４Ａはウェア、図４Ｂはスパッツ、図４Ｃはパンツ、図４Ｄはアームカバー、図４Ｅはレッグカバーの例を示している。いずれも、図３の断面図に示したようなトリコット生地に第一樹脂を被覆して、着用者の内面側に配置するようにスポーツ用衣類を構成している。
【００２８】
このようなスポーツ用衣類においても、着用者の肌に触れる内面側を第一樹脂で被覆することで、滑らないようにしてフィット性を高め、装着感に優れたスポーツ用衣類を実現できる。特にトリコット生地の通気性は、発汗性を高めてシャツなどの下着として好適である。また同様に、これらのスポーツ用衣類の表面にも、第二樹脂で適宜パターンを形成してもよく、上述した実施形態１と同様に意匠性を高めたり、部分的な押圧感を増してさらに装着感を改善するなどの効果が得られる。
【産業上の利用可能性】
【００２９】
本発明に係るスポーツ用手袋及びスポーツ用衣類は、スポーツ用手袋の他、ウエア、スパッツ、パンツ、サポーター（アームカバー、レッグカバー）等に好適に利用できる。
【符号の説明】
【００３０】
１００…スポーツ用手袋；２００…ウェア；３００…スパッツ；４００…パンツ；５００…アームカバー；６００…レッグカバー
１…手甲部
２…手掌部
３…ベルト部
１０…トリコット生地
１１…第一樹脂
１２…第二樹脂
１３…第一パターン
１４…第二パターン
【図１】
2019183340.tif 000003
【図２】
2019183340.tif 000004
【図３】
2019183340.tif 000005
【図４】
2019183340.tif 000006
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
手の甲側を覆う手甲部と、
手の掌側を覆う手掌部とを備えるスポーツ用手袋であって、
前記手甲部及び手掌部は、それぞれ伸縮性のトリコット生地で構成され、
前記手甲部及び手掌部の内面側のみ、前記トリコット生地の表面を第一樹脂で被覆してなり、
前記手甲部の外面側は、第二樹脂製の第一パターンを各指の中心に沿って、少なくとも部分的に施し、
前記手掌部の外面側は、前記第一パターンと異なる第二樹脂製の第二パターンを少なくとも部分的に施してなるスポーツ用手袋。
【請求項２】
請求項１に記載のスポーツ用手袋であって、
前記手甲部の外面側は、前記第一パターンを部分的に設け、
前記手掌部の外面側は、前記第二パターンを全面に設けてなるスポーツ用手袋。
【請求項３】
請求項１又は２に記載のスポーツ用手袋であって、
前記第二樹脂が、シリコーン樹脂であるスポーツ用手袋。
【請求項４】
請求項１〜３のいずれか一項に記載のスポーツ用手袋であって、
前記第一樹脂が、ポリウレタン樹脂、又はシリコーン樹脂のいずれかを含むスポーツ用手袋。
【請求項５】
請求項１〜４のいずれか一項に記載のスポーツ用手袋であって、
前記第一樹脂が、防滑糸を前記トリコット生地の表面に編み込んで形成されてなるスポーツ用手袋。
【請求項６】
請求項５に記載のスポーツ用手袋であって、
前記第一樹脂が、前記防滑糸の編み込まれた層の表面に、さらにシリコーン樹脂を被膜してなるスポーツ用手袋。
【請求項７】
請求項５又は６に記載のスポーツ用手袋であって、
前記防滑糸が、ポリウレタン製であるスポーツ用手袋。
【手続補正２】
【補正対象書類名】明細書
【補正対象項目名】０００６
【補正方法】変更
【補正の内容】
【０００６】
本発明の第１の側面に係るスポーツ用手袋によれば、手の甲側を覆う手甲部と、手の掌側を覆う手掌部とを備えるスポーツ用手袋であって、前記手甲部及び手掌部は、それぞれ伸縮性のトリコット生地で構成され、前記手甲部及び手掌部の内面側のみ、前記トリコット生地の表面を第一樹脂で被覆してなり、前記手甲部の外面側は、第二樹脂製の第一パターンを各指の中心に沿って、少なくとも部分的に施し、前記手掌部の外面側は、前記第一パターンと異なる第二樹脂製の第二パターンを少なくとも部分的に施すことができる。上記構成により、伸縮性のトリコットを用いつつ、手袋の内面を第一樹脂で被覆することで、手袋装着者の指が滑らないようにできる。また、手袋の表面側にそれぞれ異なる樹脂製のパターンを設けたことで、着圧感の強弱を付けて装着感を高めることができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、本発明の第２の側面に係るスポーツ用手袋によれば、上記構成に加えて、前記手甲部の外面側は、前記第一パターンを部分的に設け、前記手掌部の外面側は、前記第二パターンを全面に設けることができる。上記構成により、手掌部には全面に第二パターンを設けて滑り止め効果を高めつつ、手甲部側は部分的に第一パターンを形成することで意匠性を高めることができる。
【手続補正５】
【補正対象書類名】明細書
【補正対象項目名】０００９
【補正方法】変更
【補正の内容】
【０００９】
さらに、本発明の第３の側面に係るスポーツ用手袋によれば、上記何れかの構成に加えて、前記第二樹脂をシリコーン樹脂とすることができる。
【手続補正６】
【補正対象書類名】明細書
【補正対象項目名】００１０
【補正方法】変更
【補正の内容】
【００１０】
さらにまた、本発明の第４の側面に係るスポーツ用手袋によれば、上記何れかの構成に加えて、前記第一樹脂をポリウレタン樹脂、又はシリコーン樹脂のいずれかを含むことができる。
【手続補正７】
【補正対象書類名】明細書
【補正対象項目名】００１１
【補正方法】変更
【補正の内容】
【００１１】
さらにまた、本発明の第５の側面に係るスポーツ用手袋によれば、上記何れかの構成に加えて、前記第一樹脂を、防滑糸を前記トリコット生地の表面に編み込んで形成することができる。
【手続補正８】
【補正対象書類名】明細書
【補正対象項目名】００１２
【補正方法】変更
【補正の内容】
【００１２】
さらにまた、本発明の第６の側面に係るスポーツ用手袋によれば、上記何れかの構成に加えて、前記第一樹脂を、前記防滑糸の編み込まれた層の表面に、さらにシリコーン樹脂を被膜して構成することができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
さらにまた、本発明の第７の側面に係るスポーツ用手袋によれば、上記何れかの構成に加えて、前記防滑糸を、ポリウレタン製とできる。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】